(57)【特許請求の範囲】
【請求項１】
細い、あるいは薄い支持部と、その支持部の基端側から支持部内を通り、支持部の先端側に貫通する通路と、その通路と連通し、かつ、支持部の先端近辺で支持部の基端側に向かって開口する噴孔とを備えており、
前記支持部が足の指の隙間に通すことができる寸法にされており、前記支持部の基端側に、先端側に向かって開口する噴孔がさらに設けられており、先端側の噴孔と基端側の噴孔との間隔が足の指を挿入させうる寸法である、
エアゾール製品用ノズル。
【請求項２】
前記先端側の噴孔が、支持部の基端側から先端側に向かう軸線に対し、１１０〜１８０度の角度で設けられている、請求項１記載のエアゾール製品用ノズル。
【請求項３】
前記基端側の噴孔が、支持部の基端側から先端側に向かう軸線に対し、０〜７０度の角度で設けられている、請求項１記載のエアゾール製品用ノズル。
【請求項４】
前記支持部に切り欠きが形成され、前記先端側の噴孔および基端側の噴孔がその切り欠きの内面で開口している、請求項１記載のエアゾール製品用ノズル。
【請求項５】
前記支持部の先端部から側方に横向きの枝部が突出しており、その枝部の内面側に前記先端側の噴孔が設けられており、
前記支持部の基端部から側方に横向きの枝部が突出しており、その枝部の内面側に前記基端側の噴孔が設けられている、
請求項１記載のエアゾール製品用ノズル。
【請求項６】
前記支持部の途中に、側方に向かって開口する噴孔がさらに設けられており、
先端側の噴孔と支持部の途中の噴孔との間隔が足の指をあてがう寸法である、
請求項５記載のエアゾール製品用ノズル
【請求項７】
前記先端側の枝部が平面視が半円状であり、
前記基端側の枝部が平面視が半円状であり、
全体として鼓を半分に切断した形状を呈している、
請求項５記載のエアゾール製品用ノズル。
【請求項８】
前記支持部の基端に、押し込むことによりエアゾール製品を噴射させうる押し部が設けられている、請求項１記載のエアゾール製品用ノズル。
【発明の詳細な説明】
【０００１】
【発明の属する技術分野】
本発明は足の指や、指と指の間、あるいは足の裏などの噴射するための、エアゾール製品用のノズルに関する。
【０００２】
【従来の技術】
従来の一般的なエアゾール製品は、図１２に示すように、容器本体１０１と、その上部に設けられる押しボタン１０２と、その押しボタンの側方に設けられるノズル１０３とを備えている。そして使用者が容器１０１を手で握り、ノズル１０３を対象物あるいは噴霧しようとする空間に向けた状態で押しボタン１０２を人差し指で押し下げると、ノズル１０３の噴孔１０４から対象物などに向かって内容物を噴射させることができる。また、図１３に示すような、容器本体１０１の上方に突出するスパウト１０５を有するフォーム噴出用のエアゾール製品では、上下逆にしてスパウト１０５の先端を手の上などに近づけ、押し部１０６を人差し指あるいは親指で引いてバルブを操作する。このように従来のエアゾール製品では、容器本体１０１の側方あるいは上方に内容物を噴出させるのが一般的である。
【０００３】
他方、特開２０００−１８９８５６号公報には、図１４に示すエアゾール製品を開示している。このエアゾール製品は、一旦上向きに延び、ついで側方に延び、さらに下向きに延びる第１ノズル１１０と、その第１ノズルと近接して同軸上に対向して設けた第２ノズル１１１とを備えている。また同公報は、図１５に示すように１対のノズル１１０、１１１の軸線同士を直角に交わらせるものも開示している。これらのエアゾール製品では、一対のノズル１１０、１１１から噴出する内容物同士を衝突させて、側方に広い範囲に拡がらせるなど、種々の噴霧パターンを得ることができる。しかし最終的には、衝突した内容物の噴霧は側方に拡がる。また、第１ノズル１１０と第２ノズル１１１の間隔が狭く、それらの間に指などを挿入することはできない。
【０００４】
【発明が解決しようとする課題】
前述のように、従来のエアゾール製品は、基本的には使用者が視線でとらえている対象物に向かって噴出するものであり、噴射された内容物は使用者から遠ざかる方向に噴出する。そのため、たとえば足の裏や足の指の裏側に水虫薬などを噴射させる場合には、片足を折り曲げて他方の膝の上に載せ、さらに首を曲げて覗き込むなど、きわめて不自然な姿勢を強いられる。また、足の指の間に噴射する場合は、片方の指で足の指を拡げ、他方の手でエアゾール製品を操作する必要があり、かなり面倒である。本発明は、足の指の間や足の指の裏側などに容易に噴射させうるエアゾール製品用のノズルを提供することを技術課題としている。さらに本発明は足の裏側の広い範囲に容易に噴射させうるエアゾール製品用のノズルを提供することを技術課題としている。
【０００５】
本発明のエアゾール製品用ノズルは、細い、あるいは薄い支持部と、その支持部の基端側から支持部内を通り、支持部の先端側に貫通する通路と、その通路と連通し、かつ、支持部の先端近辺で支持部の基端側に向かって開口する噴孔とを備えており、前記支持部が足の指の隙間に通すことができる寸法にされており、前記支持部の基端側に、先端側に向かって開口する噴孔がさらに設けられており、先端側の噴孔と基端側の噴孔との間隔が足の指を挿入させうる寸法であることを特徴としている。（請求項１）。ここで「細い」および「薄い」とは、ノズルを足の指の隙間などに通すことができる程度の細さあるいは薄さを供えていることを意味する。また、「基端側に向かって」とは、前記噴孔が、支持部の基端側から先端側に向かう軸線に対し、９０〜１８０度の角度範囲で設けられている場合を意味し、必ずしも支持部と平行で基端側を向いている場合のみを意味しない。
【０００６】
本発明のエアゾール製品用ノズルであって、前記先端側の噴孔が、支持部の基端側から先端側に向かう軸線に対し、１１０〜１８０度の角度で設けられているものが好ましい。また、前記基端側の噴孔が、支持部の基端側から先端側に向かう軸線に対し、０〜７０度の角度で設けられているものが好ましい。
また前記支持部に切り欠きが形成され、前記先端側の噴孔および基端側の噴孔がその切り欠きの内面で開口しているものが好ましい。
【０００７】
一方、前記支持部の先端部から側方に横向きの枝部が突出しており、その枝部の内面側に前記先端側の噴孔が設けられており、前記支持部の基端部から側方に横向きの枝部が突出しており、その枝部の内面側に前記基端側の噴孔が設けられているものであってもよい。その場合、前記支持部の途中に、側方に向かって開口する噴孔がさらに設けられており、先端側の噴孔と支持部の途中の噴孔との間隔が足の指をあてがう寸法であるものが好ましい。また、前記先端側の枝部が平面視が半円状であり、前記基端側の枝部が平面視が半円状であり、全体として鼓を半分に切断した形状を呈しているものが好ましい。
さらに、本発明のエアゾール製品用ノズルは、前記支持部の基端に、押し込むことによりエアゾール製品を噴射させうる押し部が設けられているのが好ましい。
【０００９】
【作用および発明の効果】
本発明のノズル（請求項１）は、足の指の隙間に挿入して、それらの隙間の側面や裏側など、見えにくい部分に対しても、容易に内容物を噴射することができる。前記支持部が足の指の隙間に通すことができる寸法にされているため、たとえば内容物に水虫用の薬剤を含有するエアゾール製品の容器本体のステムに取り付けて用いる。使用法は、ノズルの支持部の先端側を、足の甲の側から足の指の間に挿入し、エアゾール製品のバルブを操作して噴射させる。それにより、楽な姿勢で足の指の裏側に薬剤を噴射させることができる。なお、指と指の間を支持部で拡げながら挿入することにより、指と指とを開いた状態に保持できるため、片手で足の指の間にも噴射させることができる。使用者には噴射させるべき対象である足の指の裏側や指の間は見えないが、噴射されている感覚で薬剤が噴射されている部位がわかるので、容器本体の向きを変えるなどにより、水虫の患部などに充分正確に噴射させることができる。
また、支持部の基端側に、先端側に向かって開口する噴孔がさらに設けられており、先端側の噴孔と基端側の噴孔との間隔が足の指を挿入させうる寸法としているため、足の指の裏側と表側、あるいは１本の指の両側の側面に同時に噴射させることができるので、効率的である。
【００１０】
本発明のエアゾール製品用ノズルであって、前記先端側の噴孔が、支持部の基端側から先端側に向かう軸線に対し、１１０〜１８０度の角度で設けられている場合（請求項２）、容器本体をあまり傾けなくても支持部の根元近辺に薬剤を噴射させることができるので、操作が容易である。
また、前記基端側の噴孔が、支持部の基端側から先端側に向かう軸線に対し、０〜７０度の角度で設けられている場合（請求項３）、容器本体をあまり傾けなくても対象物を挟むように薬剤を噴射させることができるので、操作が容易である。
【００１１】
さらに、前記支持部に切り欠きが形成され、前記先端側の噴孔および基端側の噴孔がその切り欠きの内面で開口している場合（請求項４）、支持部の周囲に突出部がないため、足の指の間に容易に挿入しうる。
前記支持部の先端部から側方に横向きの枝部が突出しており、その枝部の内面側に前記先端側の噴孔が設けられており、前記支持部の基端部から側方に横向きの枝部が突出しており、その枝部の内面側に前記基端側の噴孔が設けられている場合（請求項５）、先端部の枝部の噴孔と基端部の枝部の噴孔とで足の指などを囲むように噴射することができる。また、足の指の裏側と指の間に同時に噴射させることができる。
前記先端側の枝部が平面視が半円状であり、前記基端側の枝部が平面視が半円状であり、全体として鼓を半分に切断した形状を呈している場合、見えにくい部分に対する噴射が容易にできる。
前記支持部の基端に、押し込むことによりエアゾール製品を噴射させうる押し部が設けられている場合、押し部を操作して噴射させることができる。
【００１８】
【発明の実施の形態】
つぎに図面を参照しながら本発明のノズルの実施の形態を説明する。図１は本発明のノズルを取り付けたエアゾール製品の一実施形態を示す要部斜視図、図２ａは図１のノズルの平面図、図２ｂおよび図２ｃはそれぞれ図２ａのIIb-IIb線およびIIc-IIc線断面図、図３は本発明のノズルを備えた噴射部材の一実施形態を示す斜視図、図４は図３のノズルの断面図、図５ａは本発明のノズルのさらに他の実施形態を示す断面図、図５ｂは図５ａのV-V線断面図、図６は図５のノズルを備えたエアゾール製品の使用状態を示す側面図、図７ａ、図７ｂおよび図７ｃは本発明のノズルのさらに他の実施形態を示す斜視図、正面図および断面図、図８〜図１１は、本発明の範囲外のエアゾール製品用ノズルを示す図面である。
【００１９】
図１のエアゾール製品１０は、容器本体１１と、その上に取り付けられる噴射部材１２とから構成されている。容器本体１１は従来公知の金属缶あるいは合成樹脂容器であり、その上部の開口部に、従来公知のエアゾールバルブがマウンティングカップにより取り付けられている。容器本体１１の内部には、噴射させる内容物が充填されている。内容物は水虫薬、殺菌剤、消臭剤、香料、かゆみ止め、傷口保護剤などの有効成分を含む原液と、その原液を噴射する噴射剤とからなる。なお、単に水を噴射させる場合もあり、その場合は水が原液である。さらに乾燥などの目的で噴射剤のみを噴出させる場合もある。その場合はその噴射剤（液化石油ガス、ジメチルエーテルなどの液化ガスや、チッ素、炭酸ガス、亜酸化チッ素、圧縮空気などの圧縮ガス）が内容物である。
【００２０】
前記噴射部材１２は、容器本体１１の上端を覆うリング状の肩カバー１４と、その上面中央部にスリット１４ａを介して配置され、ヒンジ１５ａで肩カバー１４と連続する可動部１５と、その可動部１５の上面から突出する押し部１６およびノズル１７と、可動部１５の下面側に突出するステム嵌合部（図８ｃの符号１８参照）とを備えている。ステム嵌合部１８はバルブのステムが嵌合する円筒状の部分であり、場合によりノズル１７の下部で兼用しうる。ノズル１７は細い棒状の支持部１９を備えており、その支持部１９の中心部には、バルブと連通する通路２０が形成されている。さらに支持部１９の先端側の２個所に、斜め下向きに開口する第１および第２の噴孔２１、２２が設けられ、基端部側の１個所に斜め上向きに開口する第３の噴孔２３が形成されている。
【００２１】
図２ａに示すように、第１の噴孔２１と第２の噴孔２２とは、たとえば支持部を中心として異なる方向を向いており、水平方向に所定の角度θ１で拡がっている。その角度θ１はたとえば約３０〜１６０度、とくに６０〜１４０度程度が好ましい。また第１の噴孔２１および第２の噴孔２２は、支持部１９をＶ字状に切り欠いた切り欠き部２５の上側の内面に形成され、前記通路２０と連通している。第１および第２の噴孔２１、２２と支持部１９の先端側に向かう軸線２６との角度θ２は９０〜１８０度であり、さらに１１０〜１８０度、とくに１３０〜１８０度とするのが好ましい。なお想像線で示すように、切り欠き部を設けずに噴孔２１、２２をそのまま支持部の表面に開口させるようにしてもよい。また、切り欠き部２５の内面を利用して、噴孔の開口部に公知のノズルチップ２７を設けてもよい。
【００２２】
図２ｃに示すように、第３の噴孔２３は、支持部１９をＶ字状に切り欠いた切り欠き部２８の下側の内面に形成され、前記通路２０と連通している。第３の噴孔２３と支持部１９の先端側に向かう軸線２６との角度θ３は０〜９０度であり、さらに０〜７０度、とくに０〜５０度とするのが好ましい。この第３の噴孔２３についても、切り欠き部２８を省略することができ、また開口部にノズルチップを設けることもできる。図２ｂ、図２ｃの符号２９は通路２０を形成した後に先端側の開口を閉じるためのプラグである。図１および図２の実施形態では３個の噴孔２１、２２、２３を設けているが、先端側の２個の噴孔２１、２２だけでもよく、また先端側に１個の噴孔２１を設けるだけでもよい。
【００２３】
上記のごとく構成されるノズル１７を備えた図１のエアゾール製品１０を使用する場合、ノズル１７の先端側をたとえば足の甲の側から指の間に挿入し、第１および第２の噴孔２１、２２を足の指の内側面あるいは裏側などの噴射したい位置に達するようにする。その状態で噴射部材１２の押し部１６を手の指で押すと、可動部１５がヒンジ１５ａを支点として押し込まれ、ステムが押される。それにより容器本体１１のバルブが開き、各噴孔２１、２２、２３から内容物が噴射される。なお噴射の形態は、霧状が一般的であるが、液状あるいはフォーム状であってもよい。それにより、第１および第２の噴孔２１、２２からは足の指の内側面あるいは裏側に、たとえば水虫治療薬などが含まれる原液が噴射される。また、第３の噴孔２３からは足の指の表側に噴射される。噴射の形態が霧状噴射の場合は、各噴孔から噴射された内容物は噴孔から比較的近い位置に配置した足の指などの対象物に衝突するので、広く拡散する前に、所望の位置に付着させることができる。また、後述する噴射線同士が交差するノズル（図３のノズルなど）と異なり、対象物に近づけずに噴射しても、噴射された内容物同士が衝突せず、それぞれの方向に向かって噴射される。したがってたとえば部屋の内部への空間噴射や箱の内部への噴射などにも使用しうる。
【００２４】
このように図１のノズル１７を備えたエアゾール製品１０は、ノズル１７の基端側に向かって噴射させることができるので、足の甲の側から挿入して、楽な姿勢で足の指の裏側などに噴射させることができる。さらに第１と第２の噴孔２１、２２から左右に噴射しうるので、左右の指の内側面あるいは裏側に同時に噴射することができる。また第３の噴孔２３により、足の指の表側にも同時に噴射することができるので、便利である。
【００２５】
図３に示す噴射部材３０は、ノズル１７の棒状の支持部１９の先端側と基端側から棒状の枝部３１、３２が突出しており、各枝部３１、３２の内面側に第１の噴孔３３および第２の噴孔３４が設けられている。そして支持部１９における枝部の中間部に第３の噴孔３５が設けられている。そして他の部分、すなわち、肩カバー１４、可動部１５、押し部１６およびステム嵌合部１８については、図１の噴射部材と実質的に同じである。
【００２６】
図４に示すように、前記枝部３１、３２は、その根元部が支持部１９に嵌合固定され、中心に支持部１９の通路２０と連通する横向き通路３７、３８が形成されている。そして枝部３１、３２の内面側に、第１の噴孔３３を有するノズルチップ３９と、それに対向するように配置される第２の噴孔３４を有するノズルチップ４０とが設けられている。さらに支持部１９の内面側で、上下の枝部３１、３２の中間部には、第３の噴孔３５を有するノズルチップ４１が設けられている。第１および第２の噴孔３３、３４の開口部の間、すなわち上下のノズルチップ３９、４０の間には、たとえば足の指を挿入したときに余裕をもって挿入しうる間隔Ｗ１があけられている。その間隔Ｗ１の寸法は、たとえば２０〜５０ｍｍ程度が好ましい。また枝部３１、３２の長さ、厳密には第１および第２の噴孔３３、３４の中心と支持部１９の中心の間隔Ｗ２は、足の指の幅ないし厚さの１／４〜３／４程度、寸法にして１０〜５０ｍｍ程度が好ましい。
【００２７】
図３および図４に示す噴射部材３０を使用するには、上側の枝部３１を足の指の裏側に、下側の枝部３２を甲の側に配置するように、支持部１９を足の指の間に挟み込む。その状態で押し部１６を押すと、第１の噴孔３３、第２の噴孔３４および第３の噴孔３５から同時に内容物を噴出させることができる。そして容器本体１１は足の甲の側にあるので、楽な姿勢で容易に操作することができる。なお図３のノズル３０は、間に指などを挿入しない状態で噴射させると噴孔から出てくる内容物同士が衝突する。しかしある程度拡がってから衝突するので、ほとんどそのまま元の噴射方向に拡がる。そのため、横方向など、思わぬ方向へ方向転換したりすることがなく、所望の位置に内容物を広範囲に付着させることができる。
【００２８】
図５ａに示すノズル４２では、枝部３１、３２が板状であり、各枝部の平面形状は図５ｂに示すように略台形状である。そして下側の枝部３２の下面側の中心部に、パイプ状の第１支持部４３の上端が嵌合固定されている。また上下の枝部３１、３２の端部近辺に、パイプ状の第２支持部４４の上端および下端が嵌合固定されており、各枝部３１、３２には、第２支持部４４の通路２０ａと連通し、その通路２０ａに対して横向きに延びる通路３７、３８が形成されている。さらに下側の枝部３２には、その通路３８と第１支持部４１の通路２０ｂとを連通する通路４５が形成されている。そして各枝部３１、３２の先端側の内面側に、横向きの通路３７、３８と連通する第１の噴孔３３および第２の噴孔３４を備えたノズルチップ３９、４０が埋め込まれている。また第２支持部４４の中間部の内面側にも、通路２０ａと連通する第３の噴孔３５を備えたノズルチップ４１が埋め込まれている。上下の噴孔３３、３４の間隔、および第３の噴孔３５との間隔については、図３、図４のノズルと実質的に同じである。
【００２９】
上記のように図５のノズル４０は、枝部３１、３２の形状および第１支持部４３の位置を除き、実質的に図３、図４のノズルと同じであり、同じように使用しうる。すなわち図６に示すように、上側の枝部３１を足の指Ｙの裏側に、下側の枝部３２を甲の側に配置するようにして、第２支持部４４を足の指の間に挟み込む。第２支持部４２は細いため、足の指を大きく曲げる必要はない、その状態で押し部１６を押すと、第１の噴孔３３、第２の噴孔３４および第３の噴孔３５から同時に内容物を噴出させることができる。そして容器本体１１は足の甲の側にあるので、楽な姿勢で容易に操作することができる。また上下の枝部３１、３２が板状であるので、噴射した内容物を周囲に飛散させにくい利点がある。さらに上側の枝部３１が板状であるので、その枝部３１を押しボタンのように使用することもできる。たとえば図６において、枝部３１を床面に当てておき、容器本体１１を下向きに押しつけるだけで噴射させることができる。この場合、押し部１６を省略してもよい。
【００３０】
図７ａ〜ｃに示すノズル５０は、平面視が半円状の上側の枝部３１および下側の枝部３２を半円柱状の第２支持部４４で連結した、全体として鼓を半分に切断した形状を呈している。また下側の枝部３２の下面から下方に、第１支持部４３が延びている。すなわちこの図７のノズル４５は、図４および図５の側面視がコ字状のノズル１７、４２に丸みを持たせた形態を有する。そして図７ｂに示すように、上側の枝部３１から第２支持部４４および下側の枝部３２を貫通し、第１支持部４３の下端に達する上下に延びる通路２０を有する。第１の噴孔３３および第２の噴孔３４は、ノズル５０の円弧状の内面（湾曲面）５１から通路２０に向かって斜め上および斜め下に延びる孔として形成されている。両方の噴孔３３、３４の軸線の交点Ｐは、円弧の中心とほぼ一致する。この図７のノズル５０は、図６と同様に、細い第２支持部４４を指の間に挟むようにして使用しうる。この湾曲面を有する形態では、第２支持部４４が指と指との間に挿入し易くなっており、さらに第２支持部４４と上下の枝部３１、３２で囲むので、噴射した内容物が周囲に飛散しにくい。さらにこのノズル５０は、床面にノズル５０を置いておき、湾曲面５１に指を押し当てた状態で、押し部１６を操作して噴射させることもできる。また、このノズル５０の場合でも、上側の枝部３１を押しボタンのように使用することができる。
【００３１】
図８ａに示すノズル５３は、支持部１９の先端に円板状の頭部５４を有し、その下面に噴孔５５を備えている。噴孔５５は等間隔で放射状に配列されている。この頭部５４は請求項４における枝部と解することもできる。支持部１９には、図８ｂに示すように中心の通路２０が形成されており、各噴孔５５は頭部５４内に放射状に配列される通路５６で、中心の通路２０と連通している。このノズル５３は、細い支持部１９を足の指の先端側から指の隙間に挿入して使用する。その状態で押し部１６を押すと、各噴孔５５から足の指の付け根部の裏面に薬剤などを噴射させることができる。また、頭部５４を床面に当接させ、容器本体１１を下向きに押しつけることによっても噴射させることができる。
【００３２】
図９ａのノズル５７は細い支持部１９の先端から両側に棒状の枝部５８が突出しており、全体としてＴ字状を呈している。なお枝部５８を頭部と解することもできる。左右の枝部５８の内面側、すなわち支持部１９の基端側に、噴孔５９が形成されており、各噴孔５９は横向きの通路６０によって中心の通路２０と連通している。噴孔５９は複数個設けられている。このものも図８ａのノズル５３と同様に使用することができる。
【００３３】
図９ｂのノズル６２では、支持部１９の先端に横向きに筒状のボス６３が設けられており、そのボス６３内に筒状の枝部５８が自軸まわりに回動自在に収容されている。枝部５８の中央部には、スリット６４が形成されており、それにより枝部５８をいくらか回動させても、支持部１９の通路２０と枝部５８の横向きの通路６０が連通した状態を維持する。このものは足の指の間に支持部１９を通した後、枝部５８をいくらか回動させて、噴射させる位置を微妙に調整することができる。
【００３４】
図９ｃに示すノズル６６では、支持部１９の先端に枝部５８が固定して設けられ、その周囲に筒状のカバー６７が回動自在に被せられている。そして枝部５８の内面側には大きい開口６８が形成され、カバー６７に開口６８と連通する噴孔６９が複数個設けられている。このものもカバー６７をいくらか回動させることにより、噴射の向きを微調整することができる。さらにこのノズル６６では、カバー６７を大きく回動させて、噴孔６９が開口６８と連通しないようにすると、噴孔６９が塞がれる。そして枝部５８の端部には、偏心位置に通路７０が形成され、カバー６７の端部にその通路７０と連通可能な横向きの噴孔７１が形成されている。噴孔７１と横向きの通路７０の位置関係は、カバー６７を噴孔６９が閉じる位置に回動させたときに、横向きの噴孔７１が偏心した通路７０と連通する位置関係としている。したがって図９ｃのノズル６６は、図９ｂのノズル６２と同等の使用法をとることもでき、しかもカバー６７を回動させることにより、カバー６７および枝部５８の上面側を押しボタンとする従来の横向き噴射タイプのノズルとしても使用することができる。
【００３５】
図１０のノズル７３は、基部７４から両側に立ち上がる円弧状の支持部７５を備えている。それにより支持部７５はいわばリング状を呈する。そして支持部７５の上端には、円筒状の回動部材７６が回動自在に保持されている。回動部材７６には、噴孔７７を有するノズルチップ７８が内向きに取り付けられている。このノズル７３では、支持部７５の内部に足の指を挿入して回動部材７６の上面を押し下げると、噴孔７７から足の爪の表面あるいは隙間などに容易に噴射させることができる。そして回動部材７６を回動させることにより、噴射させる位置を微妙に調整することができる。
【００３６】
図１１ａに示す足裏用のノズル８０は、板状の形態を有し、端部に噴射部材本体８１と回動自在に、かつ、内部の通路が連通可能なように連結するヒンジ部８２を備えている。ノズル８０の内部には通路が設けられ、表面にその通路と連通する複数個の噴孔８３が形成されている。ノズル８０は容器本体１１の表面に当接する湾曲した板状を呈しているのが好ましい。この足裏用のノズル８０は、使用時には図１１ａのように延ばし、その上に足を乗せて押し部（図１１ｂの符号１６）を押す。それにより、足の裏の広い範囲に一度に薬剤などを噴射することができる。そして使用しないときは、図１１ｂに示すように、ノズル８０を容器本体１１に沿うように折りたたんでおく。それにより省スペースで保管することができる。
【図面の簡単な説明】
【図１】本発明のノズルを取り付けたエアゾール製品の一実施形態を示す要部斜視図である。
【図２】図２ａは図１のノズルの平面図、図２ｂおよび図２ｃはそれぞれ図２ａのIIb-IIb線およびIIc-IIc線断面図である。
【図３】本発明のノズルを備えた噴射部材の一実施形態を示す斜視図である。
【図４】図３のノズルの断面図である。
【図５】図５ａは本発明のノズルのさらに他の実施形態を示す断面図、図５ｂは図５ａのV-V線断面図である。
【図６】図５のノズルを備えたエアゾール製品の使用状態を示す側面図である。
【図７】図７ａ、図７ｂおよび図７ｃはそれぞれ本発明のノズルのさらに他の実施形態を示す斜視図、正面図および断面図である。
【図８】図８ａおよび図８ｂはそれぞれ本発明の範囲外のノズルを備えたエアゾール製品の形態を示す要部斜視図および要部断面図である。
【図９】図９ａは本発明の範囲外のノズルを備えたエアゾール製品の形態を示す要部斜視図、図９ｂは図９ａのノズルの断面図、図９ｃは本発明の範囲外のノズルの形態を示す断面図である。
【図１０】 本発明の範囲外のノズルを備えたエアゾール製品の形態を示す正面図である。
【図１１】図１１ａおよび図１１ｂはそれぞれ本発明の範囲外のノズルを備えたエアゾール製品の形態を示す要部斜視図および側面図である。
【図１２】従来のノズルを備えたエアゾール製品の一例を示す側面図である。
【図１３】従来のノズルを備えたエアゾール製品の他の例を示す側面図である。
【図１４】従来のエアゾール製品のさらに他の例を示す断面図である。
【図１５】従来のエアゾール製品のさらに他の例を示す断面図である。
【符号の説明】
１０ エアゾール製品
１１ 容器本体
１２ 噴射部材
１４ 肩カバー
１４ａ スリット
１５ 可動部
１５ａ ヒンジ
１６ 押し部
１７ ノズル
１８ ステム嵌合部
１９ 支持部
２０ 通路
２１ 第１の噴孔
２２ 第２の噴孔
２３ 第３の噴孔
２５ 切り欠き部
２６ 軸線
２７ ノズルチップ
２８ 切り欠き部
２９ プラグ
３０ 噴射部材
３１、３２ 枝部
３３ 第１の噴孔
３４ 第２の噴孔
３５ 第３の噴孔
３７、３８ 横向きの通路
３９、４０、４１ ノズルチップ
４２ ノズル
４３ 第１支持部
４４ 第２支持部
４５ 通路
５０ ノズル
５１ 湾曲面
５３ ノズル
５４ 頭部
５５ 噴孔
５６ 通路
５７ ノズル
５８ 枝部
５９ 噴孔
６０ 通路
６２ ノズル
６３ ボス
６４ スリット
６６ ノズル
６７ カバー
６８ 開口
６９ 噴孔
７０ 通路
７１ 噴孔
７３ ノズル
７４ 基部
７５ 支持部
７６ 回動部材
７７ 噴孔
８０ 足の裏用のノズル
８１ 噴射部材本体
８２ ヒンジ部
【図１】
0004799743.tif 000002
【図２】
0004799743.tif 000003
【図３】
0004799743.tif 000004
【図４】
0004799743.tif 000005
【図５】
0004799743.tif 000006
【図６】
0004799743.tif 000007
【図７】
0004799743.tif 000008
【図８】
0004799743.tif 000009
【図９】
0004799743.tif 000010
【図１０】
0004799743.tif 000011
【図１１】
0004799743.tif 000012
【図１２】
0004799743.tif 000013
【図１３】
0004799743.tif 000014
【図１４】
0004799743.tif 000015
【図１５】
0004799743.tif 000016